(57)【特許請求の範囲】
【請求項１】
電気絶縁体と、
それぞれの部分が前記電気絶縁体内に配置される第１電気信号導体及び第２電気信号導体と、
前記第１電気信号導体及び第２電気信号導体の各々が、第１ドレイン線と第２ドレイン線の間に第１方向に沿って配置されるように、前記電気絶縁体内に配置され、前記第１方向に沿って相互に離れている部分を各々が有する第１及び第２ドレイン線であって、その各々が前記第１方向とほぼ垂直の第２方向に沿って延在する第１及び第２ドレイン線と、
前記第１ドレイン線の外部周囲に電気的に取付けられる外部周囲を画定する電気的伝導性の補助線と、を有する電気ケーブル組立体であって、
前記第１ドレイン線は、前記第２方向に沿って前記電気絶縁体から外に延びるマウント部を画定し、前記補助線は、前記第１ドレイン線の前記マウント部の外部周囲に取付けられる、電気ケーブル組立体。
【請求項２】
前記補助線は、前記第２方向に延在する、請求項１に記載の電気ケーブル組立体。
【請求項３】
前記第１及び第２ドレイン線のそれぞれは、前記第１方向に沿って相互に離れて配置される第１表面及び対向する第２表面を有する外部周囲をそれぞれ画定する、請求項１に記載の電気ケーブル組立体。
【請求項４】
前記マウント部は、前記第１及び第２電気信号導体に面するように構成される前記第１表面、及び前記第１表面に対向する前記第２表面を画定し、前記補助線は、前記第１ドレイン線の前記第２表面に取付けられる、請求項３に記載の電気ケーブル組立体。
【請求項５】
１）前記補助線は、前記第１ドレイン線の前記第２表面に取付けられる第１表面と、前記補助線の前記第１表面と対向し、前記補助線の前記第１表面から補助距離だけ離間した第２表面とを画定し、さらに、２）前記マウント部の前記第１及び第２表面は、相互にドレイン距離だけ離間して配置される、請求項４に記載の電気ケーブル組立体。
【請求項６】
前記マウント部は、前記第１及び第２電気信号導体に面するように構成される前記第１表面とこの第１表面と対向する前記第２表面とを画定し、前記補助線は、前記第１ドレイン線の前記第１表面に取付けられる、請求項３に記載の電気ケーブル組立体。
【請求項７】
１）前記補助線は、前記第１方向に沿う前記第１及び第２電気信号導体に隣接する第１表面と、前記補助線の前記第１表面に対向し、かつ第１ドレイン線の前記第１表面に取付けられる第２表面とを画定し、前記補助線の前記第１及び第２表面は、相互に補助距離だけ離間して配置され、かつ、２）前記マウント部の前記第１及び第２表面は、相互にドレイン距離だけ離間して配置される、請求項６に記載の電気ケーブル組立体。
【請求項８】
前記ドレイン距離は、前記補助距離にほぼ等しい、請求項７に記載の電気ケーブル組立体。
【請求項９】
前記第１及び第２電気信号導体のそれぞれは、前記電気絶縁体から延びるマウント部を画定し、直径を画定し、さらに、前記第１ドレイン線及び前記補助線は、前記ドレイン距離と前記補助距離の合計に等しい第１方向に沿う最大幅を画定し、前記最大幅は前記直径よりも大きい、請求項７に記載の電気ケーブル組立体。
【請求項１０】
前記マウント部は、長さを画定し、前記補助線は、前記マウント部の長さとほぼ等しい長さを画定する、請求項１に記載の電気ケーブル組立体。
【請求項１１】
前記第１ドレイン線は、長さを画定し、前記補助線は、前記第１ドレイン線の長さとほぼ等しい長さを画定する、請求項１に記載の電気ケーブル組立体。
【請求項１２】
前記補助線は、基板に取付けるように構成される第３表面を画定する、請求項５に記載の電気ケーブル組立体。
【請求項１３】
さらに、前記第２ドレイン線の外部周囲に取付けられる第２補助線を有する、請求項１に記載の電気ケーブル組立体。
【請求項１４】
１本の補助線のみが、前記第１及び第２ドレイン線のそれぞれに取付けられる、請求項１３に記載の電気ケーブル組立体。
【請求項１５】
電気ケーブル組立体は、さらに、複数の信号接点パッドと、それらの間に配置される複数の接地接点パッドとを支持する基板を備え、各第１及び第２電気信号導体は、それぞれの信号接点パッドに接続され、各第１及び第２ドレイン線は、それぞれの設置接点パッドに接続される、請求項１に記載の電気ケーブル組立体。
【発明の詳細な説明】
【技術分野】
【０００１】
この発明は、電気ケーブル組立体に関する。
【背景技術】
【０００２】
[0001] 電気ケーブル組立体は、１本の電気部品を他の電気部品に電気的に接続するために使用することができる。例えば、図１Ａにおいて例証されるように、電気ケーブル組立体１０は、プリント回路板１４のような基板１２を有することができ、基板１２のそれぞれの導体線電気導通トレ−スと電気伝達するように配置されるために、基板１２にマウントされるように構成される複数の電気ケーブル１８を有する１組の電気ケーブル１６を有する。基板１２は、１対の対向する表面、例えば、上部表面２０ａ、および、横断方向Ｔに沿う上部表面２０ａから一定間隔で配置される対向する低部表面２０ｂを画定する基板本体２０を有する。基板本体２０は、さらに、補完的な電気部品と結合するように構成される後方端部２０ｃ、および、横断方向Ｔにほぼ垂直である長手方向Ｌに沿う後方端部２０ｃから間隔を置かれて対向する前方端部２０ｄを画定することができる。基板本体２０は、さらに、それぞれ、横断方向Ｔおよび長手方向Ｌの両方にほぼ垂直である横方向Ａに沿って相互から一定間隔で配置されて対向する側部２０ｅを画定することができる。
【０００３】
[0002] なお図１Ａを参照して、上部および低部表面２０ａおよび２０ｂの少なくとも一方または両方は、それぞれ、複数の電気接点パッド２２のそれぞれを支持することができる。接点パッド２２は、電気ケーブル１８のそれぞれのものに電気的に接続するように構成することができる。接点パッド２２は、基板本体２０によって支持されるか、その中に位置される１本またはそれ以上の電気トレースと電気伝達することができ、さらに、したがって基板１２の補完的な接点パッドと電気伝達することができる。したがって、接点パッド２２にマウントされたケーブル１８は、補完的な接点パッドと電気伝達するように配置することができ、さらには、したがって補完的な接点パッドと結合する補完的な電気部品と電気伝達するように配置することができる。特に、ケーブル１８の近接端部２４は、接点パッド２２のそれぞれのものにマウントされるマウント端部を画定することができる。
【０００４】
[0003] 例証された例によれば、接点パッド２２は、基板１２の、より低部表面２０ｂによって支持される。それぞれの接点パッド２２は、横方向Ａに沿って相互から一定間隔で配置することができ、さらに、前方端部２０ｄに近接して配置することができる。接点パッド２２は、複数の信号接点パッド２２ａおよび複数の接地接点パッド２２ｂを有することができる。信号接点パッド２２ａおよび接地接点パッド２２ｂは、横列（row）Ｒ１に配置することができる。横列R１内において、信号接点パッド２２ａおよび接地接点パッド２２ｂは、繰返す、信号−信号−接地パタ−ン、接地−信号−信号パタ−ン、または信号−接地−信号パターンであることができる。信号接点パッド２２ａおよび接地接点パッド２２ｂは、また、繰返す、信号−信号−接地−接地パタ−ン、接地−信号−信号−接地パタ−ン（図１Ａ）、または信号−接地−信号−接地パタ−ンに配置することができる。
【０００５】
[0004]引続いて 図１Ａを参照して、基板１２は、接地要素２６のような少なくとも１本の共通接地要素を有することができる。例証されるように、共通接地要素２６は、基板本体２０の低部表面２０ｂ上に支持される電気層であることができる。接地要素２６は、接点パッド２２から電気的に分離することができる。例証された例によれば、接地要素２６は、接点パッド２２よりも長手方向Ｌに沿って前方端部２０ｄに接近する位置に配置することができる。接地接点パッド２２ｂは、基板本体２０の表面２０ｂ上に支持された１本またはそれ以上の電気トレース、または表面２０ａと２０ｂとの間の基板本体２０に位置される層によって接地部材２６に伝達することができる。
【０００６】
[0005] 図１Ａ−Ｃを参照して、ケーブル１８は、１対の信号搬送導体２８ａのような少なくとも１本の導体２８、およびそれぞれの信号搬送導体２８ａの少なくとも一部を取り囲む電気的に絶縁性の信号層３０を有することができる。それぞれのケーブル１８は、さらに、信号搬送導体２８ａのそれぞれの絶縁された層３０を取り囲む電気的に伝導性の接地ジャケット３２を有することができる。接地ジャケット３２は、ケーブル１８がマウントされる補完的な電気部品のそれぞれの接地平面に電気的に接続されるように構成することができる。例えば、それぞれのケーブル１８の接地ジャケット３２は、基板１２の接地要素２６との接触に置かれるように構成することができ、それは、それぞれのケーブル１８の接地ジャケット３２が接地要素２６経由基板１２の接地平面に接続されるようなものである。この点については、接地ジャケット３２は、補完的な電気部品のそれぞれの接地平面に対して接地に対する電気パス、または、それぞれのケーブル１８の接地ジャケット３２からの接地パスを提供することができる。それぞれのケーブル１８は、さらに、電気的に絶縁性であり、かつ、それぞれの接地ジャケット３２を取り囲む外部層３４を有することができる。例えば、絶縁層３０は、絶縁層３４内に配置することができる。絶縁層３０および３４は、横方向Ａに沿って相互から離れて一定間隔で配置することができる。絶縁層３０および３４は、プラスチックのような任意の適切な誘電体から構成することができる。導体２８は、銅のような任意の適切な電気伝導性の材料から構成することができる。
【０００７】
[0006] ケーブル１８は、さらに、信号導体２８ａに加えて、ドレイン線２８ｂのような少なくとも１本の接地導体を有することができる。ドレイン線２８ｂは、接地ジャケット３０と結合して、または単独で使用することができる。ドレイン線２８ｂは、外部層３４によって取り囲むことができる。接地ジャケットが存在するときは、ドレイン線２８ｂは、また、接地ジャケット３２によって取り囲むことができる。
【０００８】
[0007] ケーブル１８は、接点パッド２２に対して、例えばそれらのそれぞれの近接端部２４で、マウントするように構成することができる。したがって、ケーブル１８は、それぞれの補完的な接点パッド２２と電気伝達することができる。それぞれのケーブル１８は、様々な方法で基板１２にマウントすることができる。例えば、絶縁層３０および３４、ならびに各ケーブル１８の接地ジャケット３２の一部は、導体２８を露出するように近接端部２４でそれぞれの導体２８から取り除くことができる。代りに、ケーブル１８は、その導体２８が、絶縁層３０および３４、ならびに接地ジャケット３２から長手方向に導体２８を露出するように延在するように製造することができる。露出した導体２８は、例えば、接点パッド２２に導体２８を接合することにより、近接端部２４でそれぞれの接点パッド２２にマウントすることができる。例えば、信号搬送導体２８ａは、マウント部３６ａが、長手方向Ｌに沿って絶縁層から延びて、さらに近接端部２４で終端するように露出される信号マウント部を画定することができる。信号マウント部３６ａは、信号接点パッド２２ａにマウントすることができる。同様に、ドレイン線２８ｂは、マウント部３６ｂが、長手方向Ｌに沿って絶縁層から延びて、さらにそれぞれの近接端部２４で終端するように露出されるドレインマウント部３６ｂを画定することができる。ドレイン線２８ｂのマウント部３６ｂは、接地接点パッド２２ｂにマウントすることができる。
【０００９】
[0008] 図１Ｂを参照して、例証されたケーブル１８は、米国線ゲージ(ＡＷＧ)３０を有することができる。ＡＷＧ３０のケーブル中の例証された信号導体２８ａは、約０.２５ｍｍの直径Ｄ１を有し、さらに、例証されたドレイン線２８ｂは、０.２ｍｍの直径を有する。図１Ｃを参照して、例証されたケーブル１８は、ＡＷＧ２６を有することができる。したがって、図１Ｃに示される、ＡＷＧ２６のケーブルの例証された信号導体２８ａは、０.４ｍｍの直径Ｄ２を有し、さらに例証されたドレイン線２８ｂは、０.２ｍｍの直径を有する。
【００１０】
[0009] 基板に高速信号ケーブルを接続する際に、ケーブルの絶縁層が除去され、それによって信号導体を露出することができる。これらの露出した信号導体は、クロストークのような電磁障害に帰着するかもしれない。そのような電磁障害を軽減することが望ましい。
【発明の概要】
【００１１】
[0010] 実施例にしたがって、電気ケーブルは、基板によって支持される接点パッドに電気的に接続するように構成することができる。電気ケーブルは、電気絶縁体と、第１および第２電気信号導体とを有することができ、さらに、それぞれの第１および第２電気信号導体の各部分は、絶縁体内に配置することができる。電気ケーブルは、さらに、絶縁体内に配置され、かつ、第１および第２電気信号導体が、第１方向に沿って第１および第２ドレイン線間に配置されるような第１方向に沿って相互から離れて配置されるそれぞれの部分を有する第１および第２ドレイン線を有する。第１および第２ドレイン線のそれぞれは、第１方向にほぼ垂直である第２方向に沿って細長く、さらに、第１および第２ドレイン線のそれぞれは、第１方向に沿って相互から一定間隔で配置される第１および第２の対向する表面を有する外部周囲を画定することができる。電気ケーブルは、さらに、第１および第２ドレイン線の少なくとも選択した一方の外部周囲に取付けられる外部周囲を画定する電気伝導性の補助線を有することができる。例えば、補助線は、電気ケーブルが基板によって支持される接点パッドに電気的に接続される場合に、その両方の線が、基板に当接することができるように、ドレイン線に取付けることができる。
【図面の簡単な説明】
【００１２】
[0011] 先行する概要は、この出願の実施例の以下の詳細な説明と同様に、付属の図面であって、そこには例証の目的のための図面実施例に示されるものとともに読まれたときに、一層よく理解されるであろう。しかしながら、この出願は、図示された正確な配置および手段に限定されないことは理解されるべきである。図において、
【図１Ａ】[0012] 図１Ａは、従来の電気ケーブルを有する一例の電気組立体の斜視図である;
【図１Ｂ】[0013] 図１Ｂは、図１Ａにおいて例証された２本の従来のケーブルの断面正面図である;
【図１Ｃ】[0014] 図１Ｃは、図１Ａにおいて例証された他の２本の従来のケーブルの断面正面図である;
【図２】[0015] 図２は、実施例に従って基板上にマウントされる電気ケーブルのマウント部の断面正面図である;
【図３】[0016] 図３は、他の実施例に従って形作られたドレイン線を備えた電気ケーブルのマウント部の断面正面図である;
【発明の詳細な説明】
【００１３】
[0017] 出願人は、様々な構成におけるドレイン線のサイズおよび／または形を変更することが、高速信号ケーブルにおけるクロストークを減少するということを認識してきた。特に、出願人は、ドレイン線の高さを増加することがケーブル組立体におけるクロストークを減少することができ、およびまたは電気ケーブル組立体の密度を増加することができることを認識してきた。様々な構成が、好ましい実施例、およびまたは好ましい方法に関してここに記述される一方、ここに使用されてきた用語は、限定の用語であるよりはむしろ、記述および例証の用語であることは理解されるべきであり、即座（instant）の開示の範囲は、それらの詳細に限定されるようには意図されないが、むしろ、ここに記述されたケーブルのあらゆる構造、方法、およびまたは、使用にまで及ぶように意図される。この明細書の教示の利益を有する適切な技術に熟練している者は、ここに記述されるような電気ケーブルに対する多数の修正を達成することができ、さらに、その変更は、例えば付属の請求項において引用されるように、即座の開示の範囲および精神から逸脱することなく、なすことができる。
【００１４】
[0018] 図２を参照して、実施例に従って、電気ケーブル１００は、基板１０６によって支持される接点パッドに電気的に接続するように構成することができる。電気ケーブル組立体１0１は、電気ケーブル１００、および、信号接点パッドのパッド間に配置される複数の信号接点パッドおよび接地接点パッドを支持する基板１０６を有することができ、さらに、電気信号導体１０２のそれぞれは、それぞれの信号の接点パッドにマウントすることができ、かつ、ドレイン線１０４のそれぞれは、それぞれの接地接点パッドにマウントすることができる。例えば、電気ケーブル組立体１０１におけるケーブル１０８は、ケーブル１００として構成することができる。電気ケーブル組立体１0１は、電気ケーブル１００、および、プリント配線基板のような基板１０６を有する。電気ケーブル１００は、電気絶縁体と、この電気絶縁体内に配置された部分を有する少なくとも１本の電気信号導体と、絶縁体内に配置された部分を有する少なくとも１本のドレイン線とを有することができる。例証されるように、電気ケーブル１００は、第１、または、横方向Ａに沿って相互とは離れて一定間隔で配置される１対の電気伝導性の信号導体１０２を有する。電気信号導体１０２は、横方向Ａにほぼ垂直である第２、または長手方向Ｌにおいて細長くあることができる。電気ケーブル１００は、さらに、第１および第２ドレイン線１０４のような電気伝導性のドレイン線１０４を有することができる。ドレイン線１０４は、相互から、および、対の電気信号導体１０２が、横方向Ａに沿う第１および第２ドレイン線の間に配置されるように横方向Ａに沿うその対の信号導体１０２から一定間隔で配置することができる。電気ケーブル１００が、２本のドレイン線の間の２本の信号導体を有するようにここに例証される一方で、電気ケーブル１００が、望まれるように構築することができることは、理解されるべきである。例えば、あと１本の信号導体および１本またはそれ以上の接地導体が、信号−信号−接地、接地−信号−信号、信号−接地−信号、信号−信号−接地−接地、接地−信号−信号−接地、または、信号−接地−信号−接地のような、例証された接地−信号−信号−接地順序と比較して一方向に沿う他の順序を形成するために、電気ケーブル１００内に配置することができる。
【００１５】
[0019] 電気ケーブル１００は、第１、または基板１０６に面するように構成される底部表面１１０、および、第２、または底部表面１１０と対向する頂部表面１１２を画定する少なくとも１本の電気伝導性の信号導体１０２、例えば、例証された実施例に従う対の信号導体１０２を有することができる。直径ｄは、信号導体１０２のほぼ円形の断面の直径を画定することができる。直径ｄは、少なくとも０.１２ミリメートル（ｍｍ）であり、１.０ｍｍ未満であることができる。例えば、さらに、限定なしで、信号導体１０２は、米国線ゲージ（ＡＷＧ）３６、３２、３０、２６、または２２を有することができ、かつ、直径ｄは、それぞれ、約0.１３ｍｍ、０.２５ｍｍ、０.４ｍｍ、または、０.６４ｍｍである。電気ケーブル１００は、さらに、少なくとも１本の電気伝導性のドレイン線１０４は、例えば、例証された実施例に従って少なくとも１本の信号導体１０２に隣接して配置される１対のドレイン線１０４を有することができる。少なくとも１本のドレイン線１０４の少なくとも一部分は、第１および第２信号導体１０２のような、少なくとも１本の電気伝導性の信号導体１０２に面するように構成される第１、または内部側面１０４aを画定することができる。少なくとも１本のドレイン線１０４の少なくとも一部分は、さらに、内部側面１０４aに対向する第２、または外部側面１０４ｂを画定することができる。例証された実施例に従う第１および第２ドレイン線１０４のような、少なくとも１本のドレイン線１０４は、直線に沿ってそれぞれの内部側面１０４ａからそれぞれの外部側面１０４ｂまで測定されたドレイン距離ＤＤを画定することができる。ドレイン線１０４は、さらに、外部周囲１１４を画定することができる。したがって、第１および第２ドレイン線１０４のそれぞれは、第１および第２対向表面と呼ぶことができ、それぞれ、横方向Ａに沿って相互から一定間隔で配置される内部および外部側面１０４ａおよび１０４ｂを有する外部周囲１１６を画定することができる。
【００１６】
[0020] 電気ケーブル１００は、少なくとも１本のドレイン線１０４の長さの少なくとも一部分に沿う少なくとも１本のドレイン線１０４を囲む、例えば図１に示される外部層３４のような、第１電気絶縁体を有することができる。例えば、第１および第２ドレイン線１０４は、長さをそれぞれ画定することができ、さらにそれぞれの第１絶縁体によってそのそれぞれの長さの少なくとも一部分に沿ってそれぞれにほぼ取囲むことができる。電気ケーブル１００は、さらに、少なくとも１本の信号導体１０２の長さの少なくとも一部分に沿う少なくとも１本の信号導体１０２をほぼ取囲む、例えば図１に示される絶縁性信号層３０のような第２電気絶縁体を有することができる。例えば、第１および第２の電気信号導体１０２は、それぞれの第２の絶縁体によってそのそれぞれの長さの少なくとも一部分に沿ってそれぞれほぼ取囲むことができる。少なくとも１本の信号導体１０２および少なくとも１本のドレイン線１０４は、横方向Ａに沿って相互に隣接することができ、かつ、ドレイン線１０４および信号導体１０２のそれぞれは、横方向Ａにほぼ垂直である縦方向Ｌに沿って、それぞれに、第１および第２絶縁体から延びるそれぞれのマウント部を画定することができる。信号導体１０２の直径ｄは、それぞれ、横および長手方向ＡおよびＬにほぼ垂直である第３の、または横断方向Ｔに沿うそれぞれのマウント部で測定することができる。直径ｄおよびドレイン距離ＤＤは、横方向Ａに沿ってそれぞれのマウント部で測定される。第１および第２絶縁体は、横方向Ａに沿って相互から一定間隔で配置することができる。第２絶縁体は、第２絶縁体が、信号層３０として構成され、かつ第１層が、例えば外部層３４として構成される場合のように、第１絶縁体内に配置することができる。代りに、第１絶縁体および第２絶縁体は、同一絶縁体として構成することができ、かつ、したがってドレイン１０４および信号導体１０２の両方のそれぞれのマウント部は、同一絶縁体から延びることができる。
【００１７】
[0021] 
ドレイン線１０４は、ドレイン線１０４を露出するように長手方向Ｌに沿って絶縁層から外に延びるドレイン線１０４の部分によって画定することができるそれぞれのマウント部を有することができる。マウント部１１６は、したがって基板１０６のそれぞれの電気接点にマウントすることができる。ドレイン１０４は、それらが電気ケーブル１００の絶縁層によって取囲まれない場合、露出することができる。マウント部１１６、およびしたがってドレイン線１０４は、長手方向Ｌに沿ってマウント部１１６をさしわたすことができるマウント長さＭＬを画定することができる。図１を参照して、マウント長さＭＬは、長手方向Ｌに沿って接地ジャケット３２から近接端部２４まで外に延びることができる。代りに、ケーブル１００が、例えば、接地ジャケットなしで構成される場合、マウント長さＭＬは、絶縁層３４から長手方向Ｌに沿って近接端部２４まで延びることができる。マウント部１１６の少なくとも一部分、例えば全ては、ドレイン高さＤＨを画定することができる。
【００１８】
[0022]図２において例証された実施例を参照して、基板１０６に電気的に接続するように構成される電気ケーブル１００は、電気絶縁体と、第１および第２信号導体１０２と、第１および第２ドレイン線とを有することができる。信号の導体１０２のそれぞれの部分、およびドレイン線１０４のそれぞれは、絶縁体内に配置することができる。ドレイン線１０４は、第１および第２電気信号導体１０２が第１および第２ドレイン線１０４間に配置されるように、第１または横方向Ａに沿って離れて一定間隔に配置することができる。第１および第２ドレイン線のそれぞれは、第２または長手方向Ｌに沿って延びることができ、さらに、第１および第２ドレイン線のそれぞれは、横方向Ａに沿って相互から一定間隔で配置される、それぞれに、第１および第２の対向する表面１０４ａおよび１０４ｂを有する第１および第２の対向する外部周囲１１６を画定することができる。電気ケーブルは、さらに、第１および第２ドレイン線１０４の選択した少なくとも１本の外部周囲１１６に取付けられている外部周囲１１４を画定する電気的伝導性の補助線１０８を有することができる。第１および第２ドレイン線１０４の少なくとも選択した１本は、長手方向Ｌに沿って絶縁体から外に延びるマウント部を画定することができ、かつ、補助線１０８は、第１および第２ドレイン線１０４の少なくとも一方のマウント部の外部周囲１１６に取付けることができる。したがって、マウント部は、第１、または信号導体１０２に面するように構成することができる内部表面１０４ａを画定することができる。マウント部は、さらに第２、または内部表面１０４ａの対向する外部表面１０４ｂを画定することができる。
【００１９】
[0023] 図２に示される例証された実施例に従って、補助線１０８は、第1および第２ドレイン線の選択した少なくとも一方の内部表面１０４ａに取付けることができる。代りに、補助線１０８は第１、またはドレイン線１０４の少なくとも１本の外側表面１０４ｂに取付けることができる内部表面１０８ａを画定することができる。補助線１０８は、さらに、第２、または内部表面１０８ａから補助距離ＡＤ、一定間隔で配置される外部表面１０８ｂを画定することができる。補助線１０８は、さらに、第３の、または基板１０６に当接するか、または取付くように構成される底部表面１０８ｃを画定することができる。例証された実施例に従って、外側表面１０８ｂは、少なくとも１つの選択したドレイン線１０４の内部表面１０４ａに取付けることができる。それぞれ、ドレイン線１０４のマウント部の内部および外側表面１０４ａおよび１０４ｂは、ドレイン距離ＤＤ、離れて間隔を置くことができる。例証された実施例に従って、ドレイン距離ＤＤは、補助距離ＡＤと、ほぼ等しいということができる。ドレイン距離ＤＤ、および補助距離ＡＤは、望まれるように、例えば、ドレイン距離が、ドレイン距離ＤＤより大きいか、または、ドレイン距離ＤＤ未満であることは、認識されよう。溶接のように、望まれるようなどんな適切な取付機構も使用し、接合するか、伝導性の接着剤を塗るか、導体材料中のポッティングあるいはそれのコンビネーション、ドレイン線に電気に補助の線を付けることができることはさらに認識されるだろう。補助線１０８は、物理的にドレイン線１０４に、直接または間接的に取付けることができる。例えば、ドレイン線および補助線は、間接的に線間の共通の詰め物あるいは中間の導電性部材によって相互に取付けることができる。
【００２０】
[0024] 例証された実施例に従って、第１および第２ドレイン線１０４の選択した一方、および、補助線１０８は、幅Ｗを画定し、これはまた、最大の幅Ｗと呼ぶことができ、それは、第１および第２ドレイン線１０４の選択した一方の外側表面１０４ｂから、選択した１本のドレイン線１０４に取付けられる補助線１０８の内部表面１０８ａまで延びる。代りに、第１および第２ドレイン線１０４および補助線１０８は、第１および第２ドレイン線１０４の選択した一方の内部表面１０４ａから選択した一方のドレイン線１０４に取付けられる補助線１０８の外側表面１０８ｂまで延びる幅Ｗを画定することができる。したがって、それは第１および第２ドレイン線１０４および補助線１０８が、ドレイン距離ＤＤおよび補助距離ＡＤの合計と等しい横方向Ａに沿う最大幅Ｗを画定することができ、かつ、この最大幅は、直径ｄより大きくなることができる。幅Ｗは、例証された実施例に従って、少なくとも直径ｄと等しいということができる。幅は、０.１２ｍｍ超、かつ１.５ｍｍ未満で、例えば０.１５ｍｍ、または１.３ｍｍである。
【００２１】
[0025] 図３おいて示される例証された実施例を参照して、ドレイン線１０４は、幅Ｗを画定することができ、さらに、幅Ｗは、０.１２ｍｍ超、かつ１.５ｍｍ未満、例えば、ＡＷＧ３６のケーブルにおいて約０.１５ｍｍ、または、２２ＡＷＧケーブルにおいて約１.３ｍｍである。例えば、少なくとも１本の電気伝導性のドレイン線１０４は、少なくとも１本の電気伝導性の信号導体１０２に隣接して配置することができ、少なくとも１本のドレイン線の少なくとも一部分が第１表面と対向する少なくとも１つの電気伝導性の信号導体および第２表面１０４ｂに面するように構成される第１表面１０４ａを画定する。例証された実施例に従って、直線に沿ってそれぞれの第１表面１０４ａからそれぞれの第２表面１０４ｂまで測定されるように、少なくとも１本のドレイン線１０４は、０.１２超、かつ１.５ｍｍ未満、例えば０.２ｍｍ超、かつ１.３ｍｍ未満の幅Ｗを画定することができる。例えば、ケーブル１００が、ＡＷＧ３０である場合、幅Ｗは、０.２ｍｍ超であることができる。実施例においては、ケーブル１００は、ＡＷＧ２２を有することができ、さらに、幅Ｗは、およそ１.３ｍｍである。例証されるように、電気ケーブル１００は、直線に沿って第１および第２の電気伝導性のドレイン線１０４間にそれぞれ配置される第１および第２の電気伝導性の信号導体１０２を有することができる。
【００２２】
[0026] 例証された実施例に従って、なお、図３を参照して、ドレイン線１０４が、楕円の横断面を画定することに限定されないことは認識されようが、幅Ｗドレインは、ほぼ楕円の横断面の長軸を画定することができる。図３において例証されたドレイン線１０４は、圧縮技術で作ることができ、したがって、それらは圧縮した、または形成されたドレイン線と呼ぶことができる。
【００２３】
[0027] また図２を参照して、望まれるように、幅Ｗおよび直径ｄが変わる場合があることは認識されるであろう。一実施例においては、幅Ｗが増加され、それによって、クロストークを縮小するとともに、横方向Ａに沿う２つの信号導体対１０２の間の距離は、変わらない。他の実施例においては、電気ケーブル１００の密度(例えば、信号対の間の距離を減少させる)を増加させるように、幅Ｗが増加されるとともに、２つの信号導体対の間の距離は、減少することができる。図２の例証された実施例に従って、電気ケーブル１００が、望まれるような補助線の任意の数で構築することができることは理解されるが、電気ケーブル１００は、ドレイン線１０４に取付けられる第２補助線１０８を有する。例えば、１本の補助線１０８だけが、望まれるようなドレイン線１０４のそれぞれに取付けることができることは理解されるであろう。さらに、補助線１０８は、望まれるように相互に取付けることができることは認識されるであろう。
【００２４】
[0028] 幅Ｗは、０.１２ｍｍ超、かつ１.５ｍｍ未満、例えば０.２ｍｍ超、かつ１.３ｍｍ未満、例えば、０.５ｍｍまたは１.０ｍｍである。例えば、限定なしで、幅Ｗは、およそ０.４ｍｍである。そのような幅は、２本の０.２ｍｍ、横方向Ａに沿って並んで、例えばドレイン線１０４および補助線１０８によって達成することができる。並んでドレイン線は、例えば、中間の伝導性部材がドレイン線間に置かれる場合、０.１２ｍｍ超である幅Ｗを画定することができる。代りに、図３を参照して、そのような幅は、１本の０.４ｍｍのドレイン線によって達成することができる。図２の例証された実施例が、それぞれのドレイン線１０４に１本、またはそれ以上、例えば、２、３、４、または５本の補助線１０８のスタックを示す間に、任意の希望の配置における横方向Ａに沿って補助線を積み重ねることができることは認識されよう。補助線１０８は、ドレイン線１０４と同一の形状および特性を有することができ、したがって、補助線は、ドレイン線と呼ぶことができる。さらに、補助線１０８は、望まれるようなドレイン線１０４の他の表面に取付けることができることは認識されるであろう。補助線１０８は、ドレイン線１０８のマウント部の長さの少なくとも一部分、例えば、すべてである長さを画定することができる。したがって、補助線１０８は、ドレイン線１０４のマウント部の長さとほぼ等しい長さを画定することができる。したがって、ドレイン線１０４のマウント部の少なくとも一部分、例えば、すべては、少なくとも１本の補助線１０８を支持することができる。さらに、補助線１０８は、ドレイン線１０４の長さの少なくとも一部分、例えば、すべてに沿って乗ることができる。したがって、補助線１０８は、それが取付けられる少なくとも１本の選択したドレイン線１０４のマウント部の長さとほぼ等しい長さを画定することができる。
【００２５】
[0029] 図２をなお参照して、基板１０６に電気的に接続するように構成され、かつ、少なくとも１本のドレイン線１０４および少なくとも１本の信号導体１０２を有する電気ケーブル１００を製造する方法は、基板１０６に面するように構成されるドレイン線１０４の第１表面を画定することを有する。第１表面と対向するドレイン線の第２表面は、画定することができる。少なくとも１本の電気伝導性の補助線は、ドレイン線の第１表面から直線に沿って補助線の表面まで測定される高さを画定するように、ドレイン線の第２表面に取付けることができる。その幅は、0.１２ｍｍ超、かつ１.５ｍｍ未満、例えば０.２ｍｍ超、かつ１.３ｍｍ未満である。補助線の表面は、補助線がドレイン線に取付けられる場合、ドレイン線の第１表面に対向することができる。補助線は、はんだ付けによって、または望まれるような様々な他の接着剤の使用によって、ドレイン線に接着することができる。
【００２６】
[0030] クロストークを減少するための方法が、上述したような電気ケーブルを製造することを有することができることは認識されよう。さらに、電気ケーブルの密度を増加する方法が、ここに記述されるようなドレイン線、およびまたは補助線を画定することを有することができることは認識されよう。例えば、ドレイン線および信号導体は、それらが従来のケーブル内にあるクロストークよりも、これ以上のクロストーク、例えばより少ないクロストークを達成する間に従来のケーブル内で相互から一定間隔で配置されるよりここに記述された電気ケーブル内で、ともにより接近して間隔を置くことができる。
【００２７】
[0031] 電気ケーブル組立体は、好ましい実施例、およびまたは、好ましい方法に関してここに記述されてきたが、ここに使用された用語は、限定の用語よりはむしろ、記述と例証の用語であることは理解されるに違いなく、さらには、即座の開示の範囲は、むしろ、それらの詳細に限定されるようには意図されず、むしろ、ここに記述されたケーブル保持ハウジングの全ての構造、方法、およびまたは、使用に及ぶことを意図している。この明細書の教示の利益を有する適切な技術に熟練している者は、ここに記述されるような電気ケーブル組立体に対して多数の修正を実行することができ、さらには、例えば、付属の請求項に詳述されるように、その変更は、即座の開示の範囲および精神から逸脱することなしに、なすことができる。
【００２８】
[0032] 例えば、例えば電気ケーブル組立体において信号導体間のクロストークを減少するために、１本またはそれ以上のドレイン線を使用するための手段が、上述したようにドレイン線の高さを増加することを有することができることは認識されるべきである。同様に、電気ケーブルの密度を増加するための手段が、上述したようにドレイン線の高さを増加することができることは認識されるべきである。電気ケーブル、およびしたがって電気ケーブル組立体は、ドレイン線の高さを増加するための手段を有することができる。例えば、電気ケーブルは、絶縁体内の第１電気信号導体および第２電気信号導体のそれぞれの部分を配置するための手段と;  絶縁体内の第１および第２ドレイン線のそれぞれの部分を配置するための手段と;  第１および第２電気信号導体が、第１方向に沿って第１および第２ドレイン線の間に配置されるように、第１および第２ドレイン線を第１方向に沿って相互から離れて一定間隔に置くための手段と、を有することができる。第１および第２ドレイン線は、第１方向にほぼ垂直である第２方向に沿って細長く、さらに第１および第２ドレイン線のそれぞれは、第１および第１方向に沿って相互から一定間隔で配置される第２の対向する表面を有する外部周囲を画定することができる。電気ケーブル、および、したがって電気ケーブル組立体は、第１および第２の少なくとも選択した１本に補助線を電気的に取付けるための手段を有することができる。例えば、補助線は、第１および第２ドレイン線の少なくとも選択した１本の外部周囲に取付けることができる外部周囲を画定することができる。
【００２９】
［0033］さらに、電気ケーブル、および、したがって電気ケーブル組立体は、電気ケーブルのドレイン線の第１表面、および、この第１表面に対向するドレイン線の第２表面を画定するための手段を有することができる。電気ケーブルは、電気ケーブルの少なくとも１本の電気伝導性の信号導体に面するように第１表面を構成するための手段を有することができる。電気ケーブルは、さらに、第１表面から直線に沿って補助線の表面までに測定される幅、その幅は0.１２ミリメートル（ｍｍ）超である幅を画定するようにドレイン線の第２表面に電気伝導性の補助線を取付けるための手段を有することができる。
以下に、出願当初の特許請求の範囲に記載の事項を、そのまま、付記しておく。
［１］  電気絶縁体と;
それぞれの部分は絶縁体内に配置される第１電気信号導体および第２電気信号導体と;
絶縁体内に配置され、かつ、第１および第２電気信号導体のそれぞれが、第１方向に沿って第１方向に第１および第２ドレイン線間に配置されるように、第１方向に沿って相互から離れて一定間隔に配置されるそれぞれの部分を有し、第１方向にほぼ垂直である第２方向に沿って延長される、第１および第２ドレイン線と；
第１および第２ドレイン線の少なくとも選択した一方の外部周囲に電気的に取付けられる外部周囲を画定する電気的伝導性の補助線と；
を有する電気ケーブル組立体:
［２］  補助線は、第２方向に延びる［１］記載の電気ケーブル組立体。
［３］  第１および第２ドレイン線の選択した一方は、第２方向に沿って絶縁体から外に延びるマウント部を画定し、かつ、補助線は、第１および第２の選択し一方のマウント部の外部周囲に取付けられる［１］記載の電気ケーブル組立体。
［４］  第１および第２ドレイン線のそれぞれは、第１方向に沿って相互から一定間隔で配置される第１および第２の対向する表面を有するそれぞれの外部周囲を画定する［３］記載の電気ケーブル組立体。
［５］  マウント部は、第１および第２電気信号導体に面するように構成される第１表面およびこの第１表面に対向する第２表面に面するように構成された第１表面を画定し、かつ、補助線は、第１および第２の選択したドレイン線の一方の第２表面に取付けられる、［４］記載の電気ケーブル組立体。
［６］  １）補助線は、第１および第２ドレイン線の選択した一方の第２表面に取付けられる第１表面と、補助線の第１表面と対向し、補助線の第１表面から補助距離、第２表面とを画定し、さらに、２）マウント部の第１および第２表面は、相互からドレイン距離、一定間隔で配置される［５］記載の電気ケーブル組立体。
［７］  マウント部は、第１および第２信号導体に面するように構成される第１表面とこの第１表面と対向する第２表面とを画定し、かつ、補助線は、第１および第２の選択した一方の第１表面に取付けられる、［４］記載の電気ケーブル組立体。
［８］  １）補助線は、第１方向に沿う第１および第２信号導体に隣接する第１表面と、補助線の第１表面に対向し、かつ第１および第２の選択した一方の第１表面に取付けられる第２表面とを画定し、補助線の第１および第２表面は、相互から補助距離、間隔を置いて配置され、かつ、２）マウント部の第１および第２表面は、相互からドレイン距離、一定間隔で配置される［７］記載の電気ケーブル組立体。
［９］  ドレイン距離は、補助距離にほぼ等しい［８］記載の電気ケーブル組立体。
［１０］  第１および第２電気信号の導体のそれぞれは、絶縁体から延びるマウント部を画定し、直径を画定し;
さらに、第１および第２ドレイン線および補助線は、ドレイン距離、および補助距離の合計、直径より大きい最大幅と等しい第１方向に沿う最大幅を画定する［８］記載の電気ケーブル組立体。
［１１］  マウント部は、長さを画定し、かつ、補助線は、マウント部の長さとほぼ等しい長さを画定する［３］記載の電気ケーブル組立体。
［１２］  第１および第２ドレイン線の選択した一方は、長さを画定し、かつ、補助線は、第１および第２の選択した一方の長さとほぼ等しい長さを画定する［３］記載の電気ケーブル組立体。
［１３］  補助線は、基板に取付けるように構成される第３表面を画定する［６］記載の電気ケーブル組立体。
［１４］  さらに、第１および第２ドレイン線の選択した一方の他のものの外部周囲に取付けられる第２補助線を有する［１］記載の 電気ケーブル組立体。
［１５］１本の補助線のみが、第１および第２ドレイン線の補助線のそれぞれに取付けられる［１４］記載の電気ケーブル組立体。
［１６］  電気ケーブル組立体は、さらに、信号接点パッドのその間に配置される複数の信号接点パッドおよび接地接点パッドを支持する基板と、それぞれの信号接点パッドにマウントされる第１および第２電気信号導体と、それぞれの接地接点パッドにマウントされるそれぞれの第１および第２ドレイン線とを有する［１］記載の電気ケーブル組立体。
［１７］  電気ケーブルは、基板に取付けるように構成される少なくとも１本の電気伝導性の信号導体と;
少なくとも１本の電気伝導性の信号導体に隣接して配置される少なくとも１本のドレイン線とを有してなり、少なくとも１本のドレイン線の少なくとも一部は、電気伝導性の信号導体に面するように構成される第１表面と、この第１表面に対向する第２表面を画定し、少なくとも１本のドレイン線は、直線に沿ってそれぞれの第１表面からそれぞれの第２表面まで測定されるように０.２ミリメートル(ｍｍ)を超え、かつ１.５ｍｍ未満の幅を画定する、基板によって支持される接点パッドに電気的に接続するように構成される電気ケーブル。
［１８］  その幅は、およそ０.４ｍｍである［１７］記載の電気ケーブル。
［１９］  直線に沿って第１および第２電気伝導性のドレイン線間に配置される第１および第２電気伝導性の信号導体をさらに有する［１７］記載の電気ケーブル。
［２０］  基板に電気的に接続されるように構成される電気ケーブルを製造する方法であって、電気ケーブルが、少なくとも１本の電気伝導性の信号導体および少なくとも１本の電気伝導性のドレイン線を有し、その方法は、少なくとも１本の電気伝導性の信号導体に面するように構成される少なくとも１本のドレイン線の第１表面とこの第１表面と対向する第２表面を画定することと、直線に沿って第１表面から補助線の表面まで測定される０.２ミリメートル(ｍｍ)を越え、かつ１.５ｍｍ未満の幅を画定するように、少なくとも１本のドレイン線の第２表面に電気伝導性の補助線を取付けることとを有する方法。
［２１］  少なくとも１本のドレイン線は、第１および第２ドレイン線を有し、かつ、少なくとも１本の電気伝導性の信号導体は、第１および第２の電気伝導性の信号導体であり、この方法は、さらに、第１方向に沿う第１および第２の電気伝導性の信号導体間の第１および第２の電気伝導性の信号導体を配置することであって、第１および第２ドレイン線のそれぞれの第１および第２表面は、第１方向に沿って相互に対向する［２０］記載の方法である。
［２２］  １本だけの電気伝導性の補助線が、第１および第２ドレイン線それぞれに取付けられる［２０］記載の方法。
【図１Ａ】
0006333850.tif 000002
【図１Ｂ】
0006333850.tif 000003
【図１Ｃ】
0006333850.tif 000004
【図２】
0006333850.tif 000005
【図３】
0006333850.tif 000006